(57)【特許請求の範囲】
【請求項１】
上部開口状の比較的浅い下部ケース体(1)に下部開口状の比較的深い上部ケース体(2)を着脱自在に被冠して成るケースの収納室(4)に中敷き部材(5)を取出自在に装入し、固形乳製品(3)を中敷き部材(5)に支持せしめた状態で前記収納室(4)に収納する構成であり、中敷き部材(5)に支持された状態で固形乳製品(3)を切断治具(22)により縦横に切断することにより所定重量となる固形乳製品(3)の小ブロックを得るように構成されており、
前記中敷き部材(5)は、固形乳製品(3)を支持する棚板部(16)と、該棚板部(16)の周縁から下向きに延長された脚座(17)を備え、該脚座(17)を下部ケース体(1)の底壁(6)に載置した状態で、棚板部(16)を下部ケース体(1)の底壁(6)よりも高さ(U)だけ上方位置に支持するように構成されており、
更に、前記中敷き部材(5)は、棚板部(16)の両端に保持壁(18)を立設しており、該保持壁(18)のそれぞれは、分割された壁片(18a)により構成され、隣接する壁片(18a)(18a)の間に形成された隙間(18b)を固形乳製品(3)の切断線に臨ましめて成ることを特徴とする固形乳製品の保存ケース。
【請求項２】
上部開口状の比較的浅い下部ケース体(1)に下部開口状の比較的深い上部ケース体(2)を着脱自在に被冠して成るケースの収納室(4)に中敷き部材(5)を取出自在に装入し、固形乳製品(3)を中敷き部材(5)に支持せしめた状態で前記収納室(4)に収納する構成であり、中敷き部材(5)に支持された状態で固形乳製品(3)を切断治具(22)により縦横に切断することにより所定重量となる固形乳製品(3)の小ブロックを得るように構成されており、
前記中敷き部材(5)は、固形乳製品(3)を支持する棚板部(16)と、該棚板部(16)の周縁から下向きに延長された脚座(17)を備え、該脚座(17)を下部ケース体(1)の底壁(6)に載置した状態で、棚板部(16)を下部ケース体(1)の底壁(6)よりも高さ(U)だけ上方位置に支持するように構成されており、
更に、前記中敷き部材(5)は、格子状に延びるリブ状のマーカー(21)を棚板部(16)の表面に突設しており、該棚板部(16)の表面を固形乳製品(3)の表面に押しつけることにより該固形乳製品(3)の表面に前記マーカー(21)に対応する溝(27)を刻設し、該溝(27)を切断用ガイド線として固形乳製品(3)を切断治具(22)により切断したとき前記所定重量の小ブロックが得られるように構成して成ることを特徴とする固形乳製品の保存ケース。
【請求項３】
上部開口状の比較的浅い下部ケース体(1)に下部開口状の比較的深い上部ケース体(2)を着脱自在に被冠して成るケースの収納室(4)に中敷き部材(5)を取出自在に装入し、固形乳製品(3)を中敷き部材(5)に支持せしめた状態で前記収納室(4)に収納する構成であり、中敷き部材(5)に支持された状態で固形乳製品(3)を切断治具(22)により縦横に切断することにより所定重量となる固形乳製品(3)の小ブロックを得るように構成されており、
前記中敷き部材(5)は、固形乳製品(3)を支持する棚板部(16)と、該棚板部(16)の周縁から下向きに延長された脚座(17)を備え、該脚座(17)を下部ケース体(1)の底壁(6)に載置した状態で、棚板部(16)を下部ケース体(1)の底壁(6)よりも高さ(U)だけ上方位置に支持するように構成されており、
更に前記中敷き部材(5)は、棚板部(16)の一側縁に沿って下向きに凹入された細長いポケット(19)を形成し、該ポケット(19)に前記切断治具(22)を収納するように構成されて成ることを特徴とする固形乳製品の保存ケース。
【発明の詳細な説明】
【０００１】
【発明の属する技術分野】
本発明は、バター等の固形乳製品を保存するためのケースに関する。
【０００２】
【従来の技術】
従来、バターやチーズ等の乳製品（バターに準じるものとしてマーガリンを含む）は、ペースト状の形態でケース容器に収納されたものが市販されている他、直方体等の固形とされたブロック形態でケース容器に収納されたものが市販されている。
【０００３】
そこで、直方体のブロック形態とされた固形乳製品の場合、ユーザが家庭で消費するに際し、その都度、ナイフ等により端から順に必要量だけ切断して分離しなければならない。
【０００４】
【発明が解決しようとする課題】
例えば、トースト１枚に対するバターの適正な消費量は５ｇとされている。また、調理レシピにおいて「バター大さじ一杯」は、１５ｇを意味している。
【０００５】
ところが、家庭においてブロック形態のバターを切断するに際し、目分量により前述のような適正重量の切れ端を形成することは極めて困難である。
【０００６】
この点に関して、例えば、１個あたり５ｇとする小さな直方体に成形したバターを個別に包装した製品が市販されており、これによれば５ｇの倍数に相当するバターの量を簡単に決定できる利点がある。然しながら、このような製品はブロック形態の製品に較べると高価であり、包装紙の廃棄量も増えるため、好ましくない。
【０００７】
【課題を解決するための手段】
本発明は、ブロック形態のバターのような固形乳製品を保存するに際し、上記課題を解決した保存ケースを提供するものである。
【０００８】
そこで、本発明が第一の手段として構成したところは、上部開口状の比較的浅い下部ケース体(1)に下部開口状の比較的深い上部ケース体(2)を着脱自在に被冠して成るケースの収納室(4)に中敷き部材(5)を取出自在に装入し、固形乳製品(3)を中敷き部材(5)に支持せしめた状態で前記収納室(4)に収納する構成であり、中敷き部材(5)に支持された状態で固形乳製品(3)を切断治具(22)により縦横に切断することにより所定重量となる固形乳製品(3)の小ブロックを得るように構成されており、前記中敷き部材(5)は、固形乳製品(3)を支持する棚板部(16)と、該棚板部(16)の周縁から下向きに延長された脚座(17)を備え、該脚座(17)を下部ケース体(1)の底壁(6)に載置した状態で、棚板部(16)を下部ケース体(1)の底壁(6)よりも高さ(U)だけ上方位置に支持するように構成されており、更に、前記中敷き部材(5)は、棚板部(16)の両端に保持壁(18)を立設しており、該保持壁(18)のそれぞれは、分割された壁片(18a)により構成され、隣接する壁片(18a)(18a)の間に形成された隙間(18b)を固形乳製品(3)の切断線に臨ましめて成る点にある。
【０００９】
また、本発明が第二の手段として構成したところは、上部開口状の比較的浅い下部ケース体(1)に下部開口状の比較的深い上部ケース体(2)を着脱自在に被冠して成るケースの収納室(4)に中敷き部材(5)を取出自在に装入し、固形乳製品(3)を中敷き部材(5)に支持せしめた状態で前記収納室(4)に収納する構成であり、中敷き部材(5)に支持された状態で固形乳製品(3)を切断治具(22)により縦横に切断することにより所定重量となる固形乳製品(3)の小ブロックを得るように構成されており、前記中敷き部材(5)は、固形乳製品(3)を支持する棚板部(16)と、該棚板部(16)の周縁から下向きに延長された脚座(17)を備え、該脚座(17)を下部ケース体(1)の底壁(6)に載置した状態で、棚板部(16)を下部ケース体(1)の底壁(6)よりも高さ(U)だけ上方位置に支持するように構成されており、更に、前記中敷き部材(5)は、格子状に延びるリブ状のマーカー(21)を棚板部(16)の表面に突設しており、該棚板部(16)の表面を固形乳製品(3)の表面に押しつけることにより該固形乳製品(3)の表面に前記マーカー(21)に対応する溝(27)を刻設し、該溝(27)を切断用ガイド線として固形乳製品(3)を切断治具(22)により切断したとき前記所定重量の小ブロックが得られるように構成して成る点にある。
【００１０】
更に、本発明が第三の手段として構成したところは、上部開口状の比較的浅い下部ケース体(1)に下部開口状の比較的深い上部ケース体(2)を着脱自在に被冠して成るケースの収納室(4)に中敷き部材(5)を取出自在に装入し、固形乳製品(3)を中敷き部材(5)に支持せしめた状態で前記収納室(4)に収納する構成であり、中敷き部材(5)に支持された状態で固形乳製品(3)を切断治具(22)により縦横に切断することにより所定重量となる固形乳製品(3)の小ブロックを得るように構成されており、前記中敷き部材(5)は、固形乳製品(3)を支持する棚板部(16)と、該棚板部(16)の周縁から下向きに延長された脚座(17)を備え、該脚座(17)を下部ケース体(1)の底壁(6)に載置した状態で、棚板部(16)を下部ケース体(1)の底壁(6)よりも高さ(U)だけ上方位置に支持するように構成されており、更に前記中敷き部材(5)は、棚板部(16)の一側縁に沿って下向きに凹入された細長いポケット(19)を形成し、該ポケット(19)に前記切断治具(22)を収納するように構成されて成る点にある。
【００１１】
【発明の実施の形態】
以下図面に基づいて本発明の好ましい実施形態を詳述する。
【００１２】
（全体構成）
図１及び図２に示すように、保存ケース１５は、合成樹脂により一体成形された上部開口状の比較的浅い下部ケース体１と、合成樹脂により一体成形された下部開口状の比較的深い上部ケース体２とにより内部に固形乳製品３を収納する収納室４を形成する構成とされ、収納室４の内部で固形乳製品３を支持する合成樹脂製の中敷き部材５を設けている。尚、図示実施形態において、「固形乳製品」は、典型的な例として直方体ブロック形態のバターを示しているが、固形のものであればマーガリンもそれに準じるものとして含まれる。
【００１３】
（下部ケース体）
下部ケース体１は、平面視をほぼ矩形とした底壁６の周縁から周壁７を立設し、周壁７の上端部により上部開口部の開口縁８を備え、開口縁８に近傍して周壁７にフランジ９を周設すると共に、対向２辺に位置するフランジ９の個所から外方に突出する把持片１０、１０を設けている。尚、底壁６の底面には突座６ａが突設されている。
【００１４】
（上部ケース体）
上部ケース体２は、平面視をほぼ矩形とした頂壁１１の周縁から周壁１２を垂設し、周壁１２の上端部を段部１３を介して外側に折曲形成することにより下部開口部の開口縁１４を備えている。
【００１５】
（収納室）
従って、上部ケース体２を下部ケース体１に対して着脱自在に被冠することにより保存ケース１５が構成され、内部に収納室４を区成する。この際、下部ケース体１の開口縁８に上部ケース体２の開口縁１４が外嵌され、収納室４をほぼ密閉する。
【００１６】
（中敷き部材）
中敷き部材５は、固形乳製品３を載置する棚板部１６と、該棚板部１６から垂設された脚座１７と、棚板部１６の長手方向両端から立設された保持壁１８、１８とを一体に備えており、棚板部１６の一側縁に沿って下向きに凹入された細長いポケット１９を形成している。
【００１７】
図例の場合、脚座１７は、棚板部１６の周縁に沿って延長された下向きの周壁を構成し、図２に示すように、下部ケース体１の底壁６に載置した状態で、周設された脚座１７を下部ケース体１の周壁７の内側に沿わしめるように構成されている。
【００１８】
一対の保持壁１８、１８の間隔は、固形乳製品３の長手方向寸法Ｌとほぼ等しいか又はやや大きく形成され、図例の場合、それぞれの保持壁１８を分割された３個の壁片１８ａにより構成し、隣接する壁片１８ａ、１８ａの間に隙間１８ｂを形成している。
【００１９】
棚板部１６は、少なくとも一対の保持壁１８、１８により挟まれた領域を平坦面に形成し、該平坦面の幅寸法は、固形乳製品３の幅寸法Ｗとほぼ等しいか又はやや大きく形成され、該平坦面を粗面２０に形成すると共に、縦横に延びる格子状リブ状を形成するマーカー２１を突設している。図例の場合、マーカー２１は、前述した幅寸法Ｗを等分するように間隔をあけて長手方向に延びる複数本のリブ２１ａと、長手方向寸法Ｌを等分するように間隔をあけて幅方向に延びる多数本のリブ２１ｂとから構成されている。
【００２０】
図２に示す実施形態において、棚板部１６における平坦面の粗面２０は、断面波形状に形成され、リブ状のマーカー２１は、波形頂面から僅かに（１ｍｍ以内、好ましくは０．３〜０．５ｍｍ）突出し、リブの板厚を１ｍｍ以内とする。
【００２１】
（切断治具）
ポケット１９には固形乳製品３を切断するために使用する切断治具２２が収納される。切断治具２２は、柄部２３の先端部にヘラ部２４を設けており、ヘラ部２４の先端に爪状のフォーク部２５を形成すると共に、ヘラ部２４の側縁に鋸歯状の切断部２６を形成している。
【００２２】
（作用）
上記構成によれば、中敷き部材５の棚板部１６に固形乳製品３を載置した状態で、脚座１７を下部ケース体１の底壁６に載置することにより、中敷き部材５を下部ケース体１に取出自在に装入し、下部ケース体１に上部ケース体２を被冠せしめれば、図２に示すように、棚板部１６が下部ケース体１の底壁６よりも高さＵだけ上方位置に支持された状態で、該棚板部１６に載置された固形乳製品３が保存ケース１５の収納室４に収納される。この状態で、中敷き部材５は、棚板部１６及び脚座１７を下部ケース体１に収納せしめられ、保持壁１８の頂端を上部ケース体２の上下方向中程に位置せしめられる。また、固形乳製品３は、頂面を上部ケース体２の頂壁１１に近接して位置した状態で収納される。従って、固形乳製品３を収納した状態で保存ケース１５を冷蔵庫等の内部に保存できる。尚、切断治具２２は、中敷き部材５のポケット１９に収納される。
【００２３】
固形乳製品３の保存に際しては、図３に示すように、例えば中敷き部材５を倒立させ、一対の保持壁１８、１８をガイドとして棚板部１６を固形乳製品３の表面（上面）に対面させ、マーカー２１を圧接すると、固形乳製品３の表面に溝によるガイド線２７が刻設される。ガイド線２７は、リブ２１ａに対応する長手方向の線２７ａと、リブ２１ｂに対応する幅方向の線２７ｂとから構成された格子状の線として形成される。格子状に交わる線２７ａ、２７ｂに囲まれた一つの領域の面積ａに高さｈを乗じた小ブロックの体積により表される固形乳製品３の重量は、例えば、５ｇのように所定の重量となるように設定されている。
【００２４】
そこで、図４に示すように、固形乳製品３と中敷き部材５を分離した後、中敷き部材５を脚座１７が下向きとなるように通常の姿勢に保持すると共に、棚板部１６に固形乳製品３を載置し、ガイド線２７を上面に露呈せしめる。従って、このようにして固形乳製品３を棚板部１６に載置した状態で、切断治具２２の切断部２６により線２７ａ、２７ｂに沿って固形乳製品３を切断すれば、所定体積で所定重量の小ブロック３ａが得られる。この際、固形乳製品３が予め冷蔵されること等により硬く、切断困難なときは、中敷き部材５の棚板部１６に載置した状態で電子レンジに入れ、数秒（約１５秒程度）の誘電加熱により解凍すれば軟化するので、前述のようなガイド線２７の刻設や切断治具２２による切断が容易となる。従って、中敷き部材５は、誘電加熱されない合成樹脂により成形されており、電子レンジに入れる際における固形乳製品３の支持台としても利用できる。
【００２５】
このようにしてガイド線２７を細分切断用のガイドとして固形乳製品３を切断し小ブロック３ａを形成した後は、図２に示すように保存ケース１５に収納した状態で冷蔵庫等に保存すれば良い。
【００２６】
ところで、固形乳製品３を食用に供するに際しては、上部ケース体２を取外した後、中敷き部材５に支持された小ブロック３ａに切断治具２２のフォーク部２５を刺突することにより、所定体積及び所定重量とされた小ブロック３ａを必要なだけ取り上げ消費することができる。この際、棚板部１６の平坦面には粗面２０が形成されているので、小ブロック３ａを平坦面から剥離し容易に取り上げることができる。
【００２７】
前述した切断に際して、固形乳製品３は、脚座１７により高さＵだけ上方位置に支持された棚板部１６に載置された状態にあり、この状態で切断治具２２により切断することができる。そして、切断治具２２により固形乳製品３を切断線（図４におけるガイド線２７ａ）に沿って切断する際、切断線の切断開始位置と切断終了位置には保持壁１８の隙間１８ｂが臨ましめられている。
【００２８】
【発明の効果】
本発明の保存ケースは、上部開口状の比較的浅い下部ケース体１に下部開口状の比較的深い上部ケース体２を着脱自在に被冠して成るケースの収納室４に中敷き部材５を取出自在に装入し、固形乳製品３を中敷き部材５に支持せしめた状態で前記収納室４に収納する構成であり、前記中敷き部材５は、固形乳製品３を支持する棚板部１６と、該棚板部１６の周縁から下向きに延長された脚座１７を備え、該脚座１７を下部ケース体１の底壁６に載置した状態で、棚板部１６を下部ケース体１の底壁６よりも高さＵだけ上方位置に支持するように構成されている。従って、固形乳製品３を中敷き部材５の棚板部１６に支持した状態で、切断治具２２により縦横に切断することにより所定重量となる固形乳製品３の小ブロックを得ることができる。
【００２９】
そこで、請求項１に記載の本発明によれば、中敷き部材５は、棚板部１６の両端に保持壁１８を立設し、該保持壁１８を棚板部１６に載置された固形乳製品３の側面に臨ましめているので、棚板部１６に固形乳製品３を載置した状態で中敷き部材５を下部ケース体１に装入し又は下部ケース体１から取り出すことができる。この際、保持壁１８のそれぞれは、分割された壁片１８ａにより構成され、隣接する壁片１８ａ、１８ａの間に形成された隙間１８ｂを固形乳製品３の切断線に臨ましめているので、上述のように棚板部１６に載置した状態で固形乳製品３を切断治具２２により好適に切断することができる。
【００３０】
また、請求項２に記載の本発明によれば、中敷き部材５は、格子状に延びるリブ状のマーカー２１を棚板部１６の表面に突設しており、該棚板部１６の表面を固形乳製品３の表面に押しつけることにより該固形乳製品３の表面に前記マーカー２１に対応する溝２７を刻設する構成であるから、棚板部１６に載置した状態で固形乳製品３を切断治具２２により切断する際、該溝２７を切断用ガイド線として切断することにより、所望の所定重量の小ブロック３ａを得ることができる。従って、比較的大きなブロック形態とされたバターのような固形乳製品３を保存するに際し、固形乳製品３を１個あたり５ｇのような所定重量の小ブロック３ａに簡単容易に細分切断して保存することができ、保存後は、必要に応じた個数の小ブロック３ａを消費できるという効果がある。
【００３１】
更に、請求項３に記載の本発明によれば、中敷き部材５は、棚板部１６の一側縁に沿って下向きに凹入された細長いポケット１９を形成しているので、該ポケット１９に切断治具２２を収納することができる。この際、中敷き部材５は、前述のように脚座１７を介して棚板部１６を高さＵだけ上方位置に支持する構成でありながら、該高さＵに相当する棚板部１６の下方空間を利用することによりポケット１９を形成できる利点がある。しかも、ポケット１９を中敷き部材５に形成しているので、棚板部１６に固形乳製品３を載置した状態で中敷き部材５を下部ケース体１から取り出すと、ポケット１９に収納された切断治具２２が同時に下部ケース体１から取り出され、中敷き部材５に追従せしめられるという効果がある。
【図面の簡単な説明】
【図１】  本発明の１実施形態の分解状態を示す斜視図である。
【図２】  本発明の１実施形態の組付状態を示す断面図である。
【図３】  本発明の１実施形態の作用に関し、ガイド線を刻設する方法を示す斜視図である。
【図４】  本発明の１実施形態の作用に関し、ガイド線をガイドとして固形乳製品を細分切断する方法を示す斜視図である。
【符号の説明】
１    下部ケース体
２    上部ケース体
３    固形乳製品
３ａ  小ブロック
４    収納室
５    中敷き部材
１５    保存ケース
１６    棚板部
１７    脚座
１８    保持壁
１８ａ  壁片
１８ｂ  隙間
１９    ポケット
２０    粗面
２１    マーカー
２１ａ、２１ｂ  縦横のマーカー
２２    切断治具
２７    ガイド線
【図１】
0003715218.tif 000002
【図２】
0003715218.tif 000003
【図３】
0003715218.tif 000004
【図４】
0003715218.tif 000005